(57)【要約】【課題】耳たぶに装着した状態で装飾形態を容易に変更することが可能なピアス等の装身具を提供すること。【解決手段】装身具１は、耳たぶに形成した穿孔に挿入する棒状のポスト１０と、ポスト１０の一端に設けられる第１の装飾体１２と、ポスト１０の他端部に着脱自在に設けられるキャッチ１４と、一端が第１の装飾体１２に連結し、他端がキャッチ１４に連結する長尺の第２の装飾体２０と、第２の装飾体２０の一端部及び他端部のいずれか一方に設けられ、磁力によって連結及び連結解除自在の一対の連結片３２、３４からなる連結体３０と、と備える。【選択図】図１
0003191837.tif 000002
【実用新案登録請求の範囲】
【請求項１】
穿孔に挿入される棒状のポストと、
当該ポストの一端に設けられる第１の装飾体と、
前記ポストの他端部に着脱自在に設けられるキャッチと、
一端が前記第１の装飾体に連結し、他端が前記キャッチに連結する長尺の第２の装飾体と、
当該第２の装飾体の一端部及び他端部のいずれか一方に設けられ、磁力によって連結及び連結解除自在の一対の連結片からなる連結体と、
と備えることを特徴とする装身具。
【考案の詳細な説明】
【技術分野】
【０００１】
本考案は、ピアス等、人体の一部に形成した穿孔に取り付ける装身具に関する。
【背景技術】
【０００２】
従来より、ピアス等の装身具は、耳たぶに予め形成した穿孔に挿入する棒状部材からなるポストと、ポストの一端に設けられた装飾体と、ポストの他端部に嵌められるキャッチと、を含む構成のものが一般的である。
【０００３】
また、従来、使用者の好みによって装飾形態を変更することが可能なピアスが提案されている。例えば、特許文献１によれば、ポストの一端に設けられた第１の装飾体に、数珠状のチェーンの一端が取り付けられており、このチェーンの他端に第２の装飾体が取り付けられている。更にチェーンの中間部位にポストが挿入可能な環状部材が備えられている。そして、ピアスを耳たぶに装着する際に、環状部材をポストに挿入するか否かを適宜選択することにより、耳たぶから垂下するチェーンを長くしたり短くしたりすることができる。
【先行技術文献】
【特許文献】
【０００４】
【特許文献１】特開平８−１１２１１６号公報
【考案の概要】
【考案が解決しようとする課題】
【０００５】
しかしながら、上述した特許文献１記載のピアスにおいては、ピアスを耳たぶに装着した後に装飾形態を変更する場合、キャッチを外し、環状部材をポストに挿入又はポストから外して再度キャッチをポストに挿入する、という作業が必要となり、使用者にとって面倒である。
【０００６】
本考案は、このような課題を解決し、耳たぶに装着した状態で装飾形態を容易に変更することが可能なピアス等の装身具を提供することを目的とする。
【課題を解決するための手段】
【０００７】
前記目的を達成するため、本考案は次に記載する構成を備えている。
【０００８】
（１）  穿孔に挿入される棒状のポストと、当該ポストの一端に設けられる第１の装飾体と、前記ポストの他端部に着脱自在に設けられるキャッチと、一端が前記第１の装飾体に連結し、他端が前記キャッチに連結する長尺の第２の装飾体と、当該第２の装飾体の一端部及び他端部のいずれか一方に設けられ、磁力によって連結及び連結解除自在の一対の連結片からなる連結体と、と備えることを特徴とする装身具。
【０００９】
（１）によれば、使用者は、一対の連結片を分離させることにより、第２の装飾体が第１の装飾体又はキャッチから垂下した状態となる装飾形態、及び、一対の連結片を連結させることにより、第２の装飾体がループ状になる装飾形態のいずれかを選択することが可能になる。しかも、一対の連結片が磁力によって連結しているため、一対の連結片を組み合わせることによって一対の連結片が連結され、一対の連結片を互いに反対方向に引っ張ることによって一対の連結片の連結が解除される。このように、使用者は、簡単に一対の連結片の連結及び連結解除を行うことが可能になり、しかも、使用者は装身具を装着した状態で、装飾形態を変更することが可能になる。
【考案の効果】
【００１０】
本考案によれば、ピアスを耳たぶに装着した状態で装飾形態を容易に変更することが可能なピアス等の装身具を提供することができる。
【図面の簡単な説明】
【００１１】
【図１】本考案の一実施形態における装身具の外観を示す斜視図である。
【図２】本考案の一実施形態における装身具１の外観を示す説明図である。
【図３】連結片３２、３４の外観を示す斜視図である。
【図４】連結片３２、３４の外観を示す説明図である。
【図５】図１に示す装身具１の連結体３０を分離した状態を示す斜視図である。
【図６】図１に示す装身具１の連結体３０を分離した状態を示す説明図である。
【図７】装身具１を耳たぶに取り付けた状態を示す説明図である。
【図８】装身具１を耳たぶに取り付けた状態を示す説明図である。
【考案を実施するための形態】
【００１２】
以下、本考案の一実施形態について、図面を参照しながら詳細に説明する。
図１は、本考案の一実施形態における装身具１の外観を示す斜視図である。図２は、本考案の一実施形態における装身具１の外観を示す説明図であり、図２（ａ）は正面図、図２（ｂ）は右側面図、図２（ｃ）は左側面図、図２（ｄ）は上面図、図２（ｅ）は下面図である。
【００１３】
装身具１は、ピアスと称されるアクセサリーであり、ポスト１０と、第１の装飾体１２と、キャッチ１４と、第２の装飾体２０と、連結体３０と、を備えている。
【００１４】
ポスト１０は、耳たぶに形成した穿孔に挿入する棒状部材である。
第１の装飾体１２は、ポスト１０の一端に設けられた球状の部材である。第１の装飾体１２、ポスト１０の径より大きな径であり、ポスト１０が耳たぶに形成した穿孔に挿入された場合に、第１の装飾体１２が耳たぶに引っ掛かる大きさである。なお、図１においては第１の装飾体１２は球状であるが、他の形状であってもよい。
【００１５】
また第１の装飾体１２は、第２の装飾体２０が連結されるリング状の連結部１２ａを備えている。この連結部１２ａは、第１の装飾体１２の表面におけるポスト１０から最大径となる所定部位から、ポスト１０の軸方向に対して直角方向に延びている。
【００１６】
キャッチ１４は、ポスト１０の他端部に着脱自在に設けられる円柱状の部材である。キャッチ１４の円柱の中心には、ポスト１０が挿通自在な貫通孔が形成されている。このため、ポスト１０に挿通されたキャッチ１４は、ポスト１０上においてスライド移動可能である。また、キャッチ１４は、ポスト１０の任意の部位においてキャッチ１４がスライド移動しないように固定するための機構を備えている。このため、キャッチ１４は、ポスト１０の他端部に着脱自在である。
またキャッチ１４は、第２の装飾体２０が連結されるリング状の連結部１４ａを備えている。連結部１２ａは、第２の装飾体２０の表面の所定部位からポスト１０の軸方向に対して直角方向に延びている。
【００１７】
第２の装飾体２０は、装飾部２０ａと、支持部２０ｂ、２０ｃと、鎖部２０ｄ、鎖部２０ｅと、によって構成されている。
装飾部２０ａは、糸状部材に装飾用の球状部材を複数通すことによって数珠状に形成されたものである。本実施形態においては、３つの装飾部２０ａが並列配置されており、これら３つの装飾部２０ａの一端部が、支持部２０ｂによって一緒に連結され、他端部が、支持部２０ｃによって一緒に連結される。
【００１８】
支持部２０ｂ、２０ｃは、略二等辺三角形形状の部材であり、２本の同じ長さの片に挟まれた角部に、鎖部２０ｄ、２０ｅが連結される。また、前記角部に対向する長辺部分に３つの装飾部２０ａの端部が連結される。
鎖部２０ｄは、支持部２０ｂと連結部１２ａとを連結し、鎖部２０ｅは、支持部２０ｃと連結部１４ａとを連結するものである。
このように第２の装飾体２０は、装飾部２０ａを有することによって長尺に形成されている。
【００１９】
連結体３０は、鎖部２０ｅの一部に設けられ、鎖部２０ｅを分離接続自在にする部材であり、一対の連結片３２、３４と、によって構成されている。
【００２０】
図３は、連結片３２、３４の外観を示す斜視図である。図４は、連結片３２、３４の外観を示す説明図であり、図４（ａ）は正面図、図４（ｂ）は右側面図、図４（ｃ）は図４（ａ）のＡＡ線の断面図、図４（ｄ）は上面図、図４（ｅ）は下面図である。
【００２１】
連結片３２は、半球状に形成された本体部３２ａと、リング状に形成された連結部３２ｂと、磁石３２ｃと、によって構成されている。
【００２２】
連結部３２ｂは、本体部３２ａの球面上における、本体部３２ａの頂上部に対してずれた位置に設けられている。また、本体部３２ａの平面部の中心に凹部３２ｄが形成されている。
【００２３】
磁石３２ｃは、本体部３２ａの凹部３２ｄに埋設される。この時、外部に露出する磁石３２ｃの平面と本体部３２ａの平面とは面一である。
【００２４】
連結片３４は、連結片３２と同一の構成であり、本体部３２ａ、連結部３２ｂ及び磁石３２ｃにそれぞれ対応する本体部３４ａ、連結部３４ｂ及び磁石３４ｃによって構成されている。また、本体部３４ａの平面部の中心に凹部３４ｄが形成されている。
連結部３２ｂには、キャッチ１４側の鎖部２０ｅが連結され、連結部３４ｂには、支持部２０ｃ側の鎖部２０ｅが連結される。但し、磁石３２ｃの平面の磁極と磁石３４ｃの平面の磁極とが互いに異なるにようにする。
【００２５】
これにより、本体部３２ａの平面部と本体部３４ａの平面部とを対向させて磁石３２ｃと磁石３４ｃとを吸着させることが可能になる。本体部３２ａと本体部３４ａを組み合わせることによって一つの球体が形成され、連結部３２ｂと連結部３４ｂとは前記球体の中心に対して点対称の位置に配置される。
【００２６】
そして、鎖部２０ｅの一部に連結体３０が設けられた第２の装飾体２０が、第１の装飾体１２及びキャッチ１４に連結されることによって、装身具１が構成される。
図１に示すように、連結体３０の連結片３２と連結片３４とが連結された状態においては、鎖部２０ｅ、２０ｄは垂下し、装飾部２０ａはループ状となる。この際、図２（ｂ）、図２（ｃ）に示すように、連結部３２ｂ、３４ｂは鉛直方向に並ぶため、接触した状態にある本体部３２ａ、３４ａの平面部は鉛直方向に対して傾いた斜面となる。
【００２７】
図５は、図１に示す装身具１の連結体３０を分離した状態を示す斜視図である。図６は、図１に示す装身具１の連結体３０を分離した状態を示す説明図であり、図６（ａ）は正面図、図６（ｂ）は右側面図、図６（ｃ）は左側面図、図６（ｄ）は上面図、図６（ｅ）は下面図である。
【００２８】
図５、図６に示すように、連結体３０を構成する連結片３２、３４が分離されることにより、第２の装飾体２０は第１の装飾体１２から鉛直下方に垂下する。
このように、使用者は、図１に示す、連結体３０の連結片３２と連結片３４とを連結することによって、第２の装飾体２０をループ状にする第１の装飾形態と、図５に示す、連結体３０の連結片３２と連結片３４とを分離することによって、第２の装飾体２０が垂下する第２の装飾形態とを選択することができる。
【００２９】
図７及び図８は、装身具１を耳たぶに取り付けた状態を示す説明図であり、図７は、第１の装飾形態を示し、図８は、第２の装飾形態を示す。
【００３０】
装身具１の連結片３２、３４を連結した場合には、図７に示すように、第２の装飾体２０が耳たぶの表側から裏側に向かってループする。装身具１の連結片３２、３４を分離した場合には、図８に示すように、第２の装飾体２０が耳たぶの表側から鉛直方向に垂下する。
【００３１】
装身具１を第１の装飾形態から第２の装飾形態に変更する場合には、例えば、使用者が支持部２０ｃ（図１参照）をつまんで下方に引っ張ることにより、連結体３０を分離し、第２の装飾体２０を垂下させる。
装身具１を第２装飾形態から第１装飾形態に変更する場合には、例えば、使用者が、垂下している第２の装飾体２０の下端に設けられている連結片３４をつまんで上方に引き上げ、連結片３４を連結片３２に近づけて連結片３２と連結片３４とを吸着させることにより、第２の装飾体２０をループ状にする。
【００３２】
以上説明したように構成された本実施形態によれば、使用者は、第２の装飾体２０が第１の装飾体１２から垂下した状態となる装飾形態、及び、第２の装飾体２０がループ状になる装飾形態のいずれかを選択することが可能になる。しかも、一対の連結片３２、３４が磁力によって連結するため、一対の連結片３２、３４を組み合わせることによって両者が連結され、一対の連結片３２、３４を互いに反対方向に引っ張ることによって両者の連結が解除される。このように、使用者は、簡単に一対の連結片３２、３４の連結及び連結解除を行うことが可能になり、しかも、第２の装飾体２０が第１の装飾体１２に連結されているため、使用者は装身具１を装着した状態で、装飾形態を変更する作業を行うことが可能になる。
【００３３】
また、本体部３２ａの平面部は鉛直方向に対して傾いた斜面となるため、装身具１を第２の装飾形態から第１の装飾形態に変更する場合に、第２の装飾体２０が半回転ねじれている場合には、第１の装飾形態に変更することが困難になる。このため、第２の装飾体２０を正確に取り付けることが可能になる。
【００３４】
以上、本考案の実施形態について説明したが、本考案は上述した実施形態に限るものではない。例えば、上述した実施形態によれば、連結体３０が鎖部２０ｅに設けられており、第１の装飾体１２から垂下するように構成されているが、それに限らず、連結体３０を鎖部２０ｄに設け、キャッチ１４から垂下するように構成してもよい。
【００３５】
また、上述した実施形態によれば、連結片３２、３４がともに磁石を備えているが、一方の連結片に磁石を備え、他方の連結片を磁石が吸着可能な金属によって構成してもよい。また、第１の装飾体１２を磁石に吸着可能な金属によって構成し、更に、球体の一部に、連結片３４の平面に当接する平面部を形成してもよい。これにより、装身具１の装飾形態を更に増やすことが可能になる。
【００３６】
また、上述した実施形態によれば、連結片３２、３４を半球状に形成しているが、他の形状であってもよく、例えば板状に形成してもよい。
【符号の説明】
【００３７】
１  装身具
１０  ポスト
１２  第１の装飾体
１２ａ、１４ａ  連結部
１４  キャッチ
２０  第２の装飾体
２０ａ  装飾部
２０ｂ  支持部
２０ｃ  支持部
２０ｄ、２０ｅ  鎖部
３０  連結体
３２、３４  連結片
３２ａ、３４ａ  本体部
３２ｂ、３４ｂ  連結部
３２ｃ、３４ｃ  磁石
３２ｄ、３４ｄ  凹部
【図１】
0003191837.tif 000003
【図２】
0003191837.tif 000004
【図３】
0003191837.tif 000005
【図４】
0003191837.tif 000006
【図５】
0003191837.tif 000007
【図６】
0003191837.tif 000008
【図７】
0003191837.tif 000009
【図８】
0003191837.tif 000010